(57)【要約】【課題】磁気情報の読取処理に要する時間を短縮する磁気ストライプ読取機構を提供する。【解決手段】磁気情報の読取方向が不明な媒体から磁気情報を読み取る場合に、磁気ヘッド部に優先方向に沿って磁気情報を読み取らせることにより、優先方向側の読取情報を取得し、優先方向側の読取情報に基づいて、第１磁気ストライプ５２と第２磁気ストライプ６２とが交差しない非交差エリア７２の磁気出力の有無を検証することにより、磁気情報の読取方向を判定する。【選択図】図２
2011248572.tif 000002
【特許請求の範囲】
【請求項１】
磁気媒体に設けられた磁気ストライプから磁気情報を読み取る磁気ストライプ読取機構において、
読取処理の優先方向に沿って第１磁気ストライプが設けられた第１磁気媒体と読取処理の非優先方向に沿って第２磁気ストライプが設けられた第２磁気媒体とのどちらからでも磁気情報を読み取ることができる磁気ヘッド部と、
磁気情報の読取方向を指定して、前記磁気ヘッド部に磁気情報を読み取らせる制御部とを有し、
前記制御部は、磁気情報の読取方向が不明な媒体から磁気情報を読み取る場合に、前記磁気ヘッド部に優先方向に沿って磁気情報を読み取らせることにより、優先方向側の読取情報を取得し、当該優先方向側の読取情報に基づいて、前記第１磁気ストライプと前記第２磁気ストライプとが交差しない非交差エリアの磁気出力の有無を検証することにより、磁気情報の読取方向を判定する
ことを特徴とする磁気ストライプ読取機構。
【請求項２】
請求項１に記載の磁気ストライプ読取機構において、
前記制御部は、
前記優先方向側の読取情報の中の前記非交差エリアに、磁気出力があるときに、前記磁気情報の読取方向を前記優先方向と判定し、
一方、前記優先方向側の読取情報の中の非交差エリアに、磁気出力がないときに、前記磁気情報の読取方向を前記非優先方向と判定する
ことを特徴とする磁気ストライプ読取機構。
【請求項３】
請求項１又は請求項２に記載の磁気ストライプ読取機構において、
前記制御部は、
取得された前記優先方向側の読取情報を記憶部に格納した後、当該記憶部に格納された前記優先方向側の読取情報に基づいて、前記非交差エリアの磁気出力の有無を検証することにより、磁気情報の読取方向を判定する
ことを特徴とする磁気ストライプ読取機構。
【請求項４】
請求項３に記載の磁気ストライプ読取機構において、
前記制御部は、
前記磁気情報の読取方向を前記優先方向と判定したときに、前記記憶部に格納された前記優先方向側の読取情報を分析して磁気情報を取得し、
一方、前記磁気情報の読取方向を前記非優先方向と判定したときに、前記磁気ヘッド部に非優先方向に沿って磁気情報を読み取らせることにより、非優先方向側の読取情報を取得し、取得された当該非優先方向側の読取情報を前記記憶部に格納した後、前記記憶部に格納された当該非優先方向側の読取情報を分析して磁気情報を取得する
ことを特徴とする磁気ストライプ読取機構。
【請求項５】
請求項１又は請求項２に記載の磁気ストライプ読取機構において、
前記制御部は、
前記優先方向に加え、前記磁気ヘッド部に非優先方向に沿って磁気情報を読み取らせることにより、前記優先方向側の読取情報に加え、非優先方向側の読取情報をも取得し、
取得された前記優先方向側の読取情報及び前記非優先方向側の読取情報を記憶部に順次格納した後、当該記憶部に格納された前記優先方向側の読取情報に基づいて、前記非交差エリアの磁気出力の有無を検証することにより、磁気情報の読取方向を判定する
ことを特徴とする磁気ストライプ読取機構。
【請求項６】
請求項５に記載の磁気ストライプ読取機構において、
前記制御部は、
前記磁気情報の読取方向を前記優先方向と判定したときに、前記記憶部に格納された前記優先方向側の読取情報を分析して磁気情報を取得し、
一方、前記磁気情報の読取方向を前記非優先方向と判定したときに、前記記憶部に格納された前記非優先方向側の読取情報を分析して磁気情報を取得する
ことを特徴とする磁気ストライプ読取機構。
【請求項７】
請求項１乃至請求項６のいずれか一項に記載の磁気ストライプ読取機構を備える
ことを特徴とする自動取引装置。
【請求項８】
請求項１乃至請求項６のいずれか一項に記載の磁気ストライプ読取機構を備える
ことを特徴とする金融窓口端末装置。
【発明の詳細な説明】
【技術分野】
【０００１】
本発明は、磁気媒体に設けられた磁気ストライプから磁気情報を読み取る磁気ストライプ読取機構、並びに、当該磁気ストライプ読取機構を備える自動取引装置及び金融窓口端末装置に関する。
【背景技術】
【０００２】
従来、磁気ストライプ読取機構として、磁気ストライプの貼付位置及び貼付方向（読取方向）が異なる複数種類の磁気媒体（通帳）を取り扱うものがある（例えば、特許文献１参照）。
この磁気ストライプ読取機構は、読取対象の磁気媒体を通帳とし、例えば、金融機関に設置された自動取引装置（ＡＴＭ）や金融窓口端末装置に搭載されている。
【０００３】
この磁気ストライプ読取機構は、磁気情報の読取方向が不明な磁気媒体（通帳）から磁気情報を読み取る場合に、まず、読取処理の優先方向に沿って磁気情報を読み取り、磁気情報を正しく読み取ることができなければ、次に、読取処理の非優先方向に沿って磁気情報を読み取ることにより、磁気情報の読取方向を決めている。以下、読取処理の優先方向に沿って設けられた磁気ストライプを「優先方向の磁気ストライプ」と称し、読取処理の非優先方向に沿って設けられた磁気ストライプを「非優先方向の磁気ストライプ」と称する。また、優先方向の磁気ストライプが設けられた通帳を「優先側の通帳」と称し、非優先方向の磁気ストライプが設けられた通帳を「非優先側の通帳」と称する。
【先行技術文献】
【特許文献】
【０００４】
【特許文献１】特開２００３−６７０９号公報
【発明の概要】
【発明が解決しようとする課題】
【０００５】
しかしながら、従来の磁気ストライプ読取機構は、誤った方向に沿って磁気情報を読み取る場合に、磁気情報の読取処理に要する時間が長期化するときがある、という課題があった。
【０００６】
すなわち、従来の磁気ストライプ読取機構は、磁気媒体として、優先方向の磁気ストライプと非優先方向の磁気ストライプとが交差する優先側の通帳と非優先側の通帳とを混在して取り扱うことがある。以下、優先方向の磁気ストライプと非優先方向の磁気ストライプとが交差するエリアを「交差エリア」と称する。
【０００７】
従来の磁気ストライプ読取機構は、読取処理の対象となる磁気媒体が非優先側の通帳である場合であっても、磁気情報の読取方向を決めるために、まず、優先方向に沿って磁気情報を読み取り、磁気情報を正しく読み取ることができたか否かを検証する。
【０００８】
このとき、従来の磁気ストライプ読取機構は、読取処理の対象となる磁気媒体が非優先側の通帳であり、磁気情報の読取方向が誤っているため、磁気情報を正しく読み取ることができない。
それにも関わらず、従来の磁気ストライプ読取機構は、交差エリアで磁気出力を検出するため、読取方向が誤っていると判定することができずに、リトライ処理の上限回数に達するまで誤った方向に沿って磁気情報を繰り返し読み取り、その後に、非優先方向に沿って磁気情報を読み取る。
【０００９】
したがって、従来の磁気ストライプ読取機構は、誤った方向に沿って磁気情報を読み取る場合であっても、リトライ処理の上限回数に達するまで誤った方向に沿って磁気情報を繰り返し読み取るため、磁気情報の読取処理に要する時間が長期化するときがあった。
その結果、従来の磁気ストライプ読取機構は、搭載装置の稼動率を低下させたり、顧客を待たせることによって顧客サービスを低下させたりしていた。
【００１０】
本発明は、前記した課題を解決するためになされたものであり、誤った方向に沿って磁気情報を読み取る場合の磁気情報の読取処理に要する時間を短縮する磁気ストライプ読取機構を提供すること、並びに、当該磁気ストライプ読取機構を備える自動取引装置及び金融窓口端末装置を提供することを主な目的とする。
【課題を解決するための手段】
【００１１】
前記目的を達成するため、本発明は、磁気媒体に設けられた磁気ストライプから磁気情報を読み取る磁気ストライプ読取機構であって、読取処理の優先方向に沿って第１磁気ストライプが設けられた第１磁気媒体と読取処理の非優先方向に沿って第２磁気ストライプが設けられた第２磁気媒体とのどちらからでも磁気情報を読み取ることができる磁気ヘッド部と、磁気情報の読取方向を指定して、前記磁気ヘッド部に磁気情報を読み取らせる制御部とを有し、前記制御部は、磁気情報の読取方向が不明な媒体から磁気情報を読み取る場合に、前記磁気ヘッド部に優先方向に沿って磁気情報を読み取らせることにより、優先方向側の読取情報を取得し、当該優先方向側の読取情報に基づいて、前記第１磁気ストライプと前記第２磁気ストライプとが交差しない非交差エリアの磁気出力の有無を検証することにより、磁気情報の読取方向を判定する構成とする。
【００１２】
この磁気ストライプ読取機構は、優先方向側の読取情報に基づいて、非交差エリアの磁気出力の有無を検証することにより、磁気情報の読取方向を判定する。したがって、この磁気ストライプ読取機構は、誤った方向に沿って磁気情報を読み取った場合であっても、リトライ処理を行うことなく、ただちに、正しい読取方向を特定することができる。そのため、この磁気ストライプ読取機構は、誤った方向に沿って磁気情報を読み取る場合の磁気情報の読取処理に要する時間を短縮することができる。
【発明の効果】
【００１３】
本発明によれば、誤った方向に沿って磁気情報を読み取る場合の磁気情報の読取処理に要する時間を短縮する磁気ストライプ読取機構を提供することができる。
また、本発明によれば、この磁気ストライプ読取機構を自動取引装置に搭載することにより、誤った方向に沿って磁気情報を読み取る場合の磁気情報の読取処理に要する時間を短縮する自動取引装置を提供することができる。
同様に、本発明によれば、この磁気ストライプ読取機構を金融窓口端末装置に搭載することにより、誤った方向に沿って磁気情報を読み取る場合の磁気情報の読取処理に要する時間を短縮する金融窓口端末装置を提供することができる。
【図面の簡単な説明】
【００１４】
【図１】実施形態に係る磁気ストライプ読取機構の構成を示す断面図である。
【図２】実施形態で用いる第1磁気媒体の構成を示す図である。
【図３】実施形態で用いる第２磁気媒体の構成を示す図である。
【図４】実施形態に係る磁気ストライプ読取機構の優先方向の読取処理を示す図である。
【図５】実施形態に係る磁気ストライプ読取機構の非優先方向の読取処理を示す図である。
【図６】実施形態に係る磁気ストライプ読取機構の動作を示すフローチャート（１）である。
【図７】実施形態に係る磁気ストライプ読取機構の動作を示すフローチャート（２）である。
【発明を実施するための形態】
【００１５】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１６】
＜磁気ストライプ読取機構の構成＞
以下、図１を参照して、本実施形態に係る磁気ストライプ読取機構の構成につき説明する。なお、図１は、実施形態に係る磁気ストライプ読取機構の構成を示す断面図である。
【００１７】
磁気ストライプ読取機構１は、挿入口２、挿入検知センサ３、搬送路４、搬送ローラ（搬送部）６、磁気ヘッド部１０、光学読取ヘッド１１、印字ヘッド１２、頁替え部１３、媒体回収部１４、制御部１５、及び、記憶部１６を備えている。
【００１８】
挿入口２は、読取対象の磁気媒体が挿入される部位である。本実施形態では、読取対象の磁気媒体が、縦型通帳５１（図２参照）及び横型通帳６１（図３参照）であるものとして説明する。なお、縦型通帳５１及び横型通帳６１の詳細については、「磁気媒体の構成」の章で説明する。
【００１９】
挿入検知センサ３は、通帳５１，６１が挿入されたことを検知する検知手段である。
搬送路４は、通帳５１，６１が搬送される経路である。
搬送ローラ（搬送部）６は、搬送路４に沿って通帳５１，６１を搬送する搬送手段である。
【００２０】
磁気ヘッド部１０は、通帳５１，６１に設けられた磁気ストライプから磁気情報を読み取る読取手段である。磁気ヘッド部１０は、縦方向（優先方向）用磁気ヘッド７、横方向（非優先方向）用磁気ヘッド８、及び、磁気ヘッド移動部９を備えており、縦型通帳５１に設けられた縦型磁気ストライプ５２（図２参照）及び横型通帳６１に設けられた横型磁気ストライプ６２（図３参照）のどちらからでも磁気情報を読み取ることができる構成となっている。
【００２１】
縦方向（優先方向）用磁気ヘッド７は、縦型通帳５１に設けられた縦型磁気ストライプ５２から磁気情報を読み取る読取手段である。
横方向（非優先方向）用磁気ヘッド８は、横型通帳６１に設けられた横型磁気ストライプ６２から磁気情報を読み取る読取手段である。
磁気ヘッド移動部９は、横方向（非優先方向）用磁気ヘッド８の移動手段である。磁気ヘッド移動部９は、横方向（非優先方向）用磁気ヘッド８を横方向にスライド移動させて、横方向（非優先方向）用磁気ヘッド８に横型磁気ストライプ６２から磁気情報を読み取らせる。
【００２２】
光学読取ヘッド１１は、通帳５１，６１に設けられたバーコードから光学的にコード情報を読み取る読取手段である。光学読取ヘッド１１は、縦型通帳５１に設けられた縦型バーコード（図２参照）及び横型通帳６１に設けられた横型バーコード（図３参照）のどちらからでもコード情報を読み取ることができる構成となっている。
印字ヘッド１２は、通帳５１，６１に所定事項を印字する印字手段である。
【００２３】
頁替え部１３、通帳５１，６１の頁をめくる手段である。
媒体回収部１４は、通帳５１，６１を回収する収容部である。
制御部１５は、磁気ストライプ読取機構１の各部の動作を制御する制御手段である。
記憶部１６は、磁気情報の読み取りに際して用いられる記憶手段である。記憶部１６は、縦型磁気ストライプ５２や横型磁気ストライプ６２の位置情報を予め格納している。これら磁気ストライプ５２，６２の位置情報には、後記する交差エリア７１及び非交差エリア７２，７３の位置情報が含まれている。
【００２４】
磁気ストライプ読取機構１は、磁気媒体として、優先方向の磁気ストライプと非優先方向の磁気ストライプとが交差する優先側の通帳と非優先側の通帳とを混在して取り扱うことがある。以下、優先方向の磁気ストライプを「第１磁気ストライプ」と称し、非優先方向の磁気ストライプを「第２磁気ストライプ」と称する。また、優先側の通帳を「第１磁気媒体」と称し、非優先側の通帳を「第２磁気媒体」と称する。本実施形態では、「第１磁気ストライプ」が縦型磁気ストライプ５２（図２参照）であり、「第２磁気ストライプ」が横型磁気ストライプ６２（図３参照）であるものとして説明する。また、「第１磁気媒体」が縦型通帳５１（図２参照）であり、「第２磁気媒体」が横型通帳６１（図３参照）であるものとして説明する。
【００２５】
＜磁気媒体の構成＞
以下、図２及び図３を参照して、本実施形態で用いる磁気媒体の構成につき説明する。なお、図２は、実施形態で用いる第１磁気媒体の構成を示す図である。図２（ａ）は、第１磁気媒体（すなわち、優先側の磁気媒体）である縦型通帳５１が任意の頁で開かれており、その状態における縦型通帳５１の内側（綴り目側）の構成を示している。また、図２（ｂ）は、任意の頁で開かれた縦型通帳５１の外側（表紙側）の構成を示している。また、図３は、実施形態で用いる第２磁気媒体の構成を示す図である。図３（ａ）は、第２磁気媒体（すなわち、非優先側の磁気媒体）である横型通帳６１が任意の頁で開かれており、その状態における横型通帳６１の内側（綴り目側）の構成を示している。また、図３（ｂ）は、任意の頁で開かれた横型通帳６１の外側（表紙側）の構成を示している。
【００２６】
第１磁気媒体である縦型通帳５１は、図２（ａ）に示すように、内側（綴り目側）に縦型バーコード５３を備えた構成となっている。
また、縦型通帳５１は、図２（ｂ）に示すように、外側（表紙側）に第１磁気ストライプである縦型磁気ストライプ５２を備えた構成となっている。
【００２７】
縦型磁気ストライプ５２は、交差エリア７１と優先方向側の非交差エリア７２とに区分される。
「交差エリア７１」は、第１磁気ストライプ（優先方向の磁気ストライプ）である縦型磁気ストライプ５２と第２磁気ストライプ（非優先方向の磁気ストライプ）である横型磁気ストライプ６２とが交差するエリアである。
一方、「非交差エリア７２」は、縦型磁気ストライプ５２と横型磁気ストライプ６２とが交差しないエリアである。
【００２８】
第２磁気媒体である横型通帳６１は、図３（ａ）に示すように、内側（綴り目側）に横型バーコード６３を備えた構成となっている。
また、横型通帳６１は、図３（ｂ）に示すように、外側（表紙側）に第２磁気ストライプである横型磁気ストライプ６２を備えた構成となっている。
【００２９】
横型磁気ストライプ６２は、交差エリア７１と非優先方向側の非交差エリア７３とに区分される。
「交差エリア７１」は、前記した通り、縦型磁気ストライプ５２と横型磁気ストライプ６２とが交差するエリアである。
一方、「非交差エリア７３」は、縦型磁気ストライプ５２と横型磁気ストライプ６２とが交差しないエリアである。
【００３０】
磁気ストライプ読取機構１は、第１磁気媒体（すなわち、優先側の磁気媒体）である縦型通帳５１から磁気情報を読み取る場合に、図４に示すように、搬送ローラ６（図１参照）によって縦型通帳５１を搬送路４に沿って搬送させながら、縦方向用磁気ヘッド７を縦型磁気ストライプ５２に接近させる。これによって、磁気ストライプ読取機構１は、縦型磁気ストライプ５２から磁気情報を読み取る。なお、図４は、実施形態に係る磁気ストライプ読取機構の優先方向の読取処理を示す図である。
【００３１】
一方、磁気ストライプ読取機構１は、第２磁気媒体（すなわち、非優先側の磁気媒体）である横型通帳６１から磁気情報を読み取る場合に、図５に示すように、搬送ローラ６（図１参照）によって横型通帳６１を搬送させて横方向用磁気ヘッド８上の位置で停止させ、その後に、磁気ヘッド移動部９によって横方向用磁気ヘッド８を横方向（非優先方向）にスライド移動させて、横方向用磁気ヘッド８を横型磁気ストライプ６２に接近させる。これによって、磁気ストライプ読取機構１は、横型磁気ストライプ６２から磁気情報を読み取る。なお、図５は、実施形態に係る磁気ストライプ読取機構の非優先方向の読取処理を示す図である。
【００３２】
＜磁気ストライプ読取機構の動作＞
以下、図６を参照して、磁気ストライプ読取機構１の動作につき説明する。図６は、実施形態に係る磁気ストライプ読取機構の動作を示すフローチャートである。ここでは、磁気ヘッド部１０によって読み取られた磁気情報を「読取情報」と称する。
【００３３】
なお、磁気ストライプ読取機構１の動作は、磁気ストライプ読取機構１の記憶部１６に読み出し自在に予め格納されたプログラムによって規定されており、磁気ストライプ読取機構１の制御部１５によって実現する。以下、これらの点については、情報処理では常套手段であるので、その詳細な説明を省略する。
【００３４】
磁気ストライプ読取機構１は、操作者によって磁気媒体（ここでは、縦型通帳５１又は横型通帳６１）が挿入口２に挿入されると、挿入検知センサ３がこれを検知して出力信号を制御部１５に出力する。これによって、磁気ストライプ読取機構１の制御部１５は、図６に示すルーチンを開始する。
【００３５】
図６に示すように、磁気ストライプ読取機構１の制御部１５は、まず、磁気ヘッド部１０に優先方向（ここでは、縦方向）の読取処理を行わせる（Ｓ１１０）。
【００３６】
具体的には、制御部１５は、搬送ローラ（搬送部）６を作動させて搬送路４に沿って磁気媒体（ここでは、縦型通帳５１又は横型通帳６１）を搬送させる。このとき、磁気ヘッド部１０の縦方向用磁気ヘッド７が、磁気媒体の縦型磁気ストライプ５２が設けられたエリアに接近し、そのエリアに設けられた磁気ストライプ（ここでは、縦型磁気ストライプ５２又は交差エリア７１部分の横型磁気ストライプ６２）から磁気情報を読み取る。
【００３７】
縦方向用磁気ヘッド７は、縦型磁気ストライプ５２が設けられたエリアから読み取った磁気情報を優先方向側の読取情報として制御部１５に出力する。制御部１５は、縦方向用磁気ヘッド７から優先方向側の読取情報が入力されると、記憶部１６に格納する（Ｓ１１５）。
【００３８】
この後、制御部１５は、優先方向側の読取情報に基づいて、優先方向側の非交差エリア７２（図２（ｂ）参照）の磁気出力の有無を検証する。これにより、制御部１５は、磁気情報の読取方向を判定する。
【００３９】
具体的には、制御部１５は、記憶部１６から優先方向側の非交差エリア７２の位置情報を含む磁気ストライプ５２，６２の位置情報を読み出すとともに、記憶部１６から優先方向側の読取情報を読み出し、優先方向側の読取情報の中に含まれている優先方向側の非交差エリア７２から磁気出力を検出できるか否かを判定する（Ｓ１２０）。
【００４０】
Ｓ１２０の判定で、優先方向側の非交差エリア７２から磁気出力を検出したと判定された場合（“Ｙｅｓ”の場合）に、制御部１５は、磁気媒体が縦型通帳５１であると見なし、磁気情報の読取方向を優先方向（ここでは、縦方向）に決定する（Ｓ１２５）。
【００４１】
この場合に、制御部１５は、記憶部１６から優先方向側の読取情報を読み出し、読み出された優先方向側の読取情報を分析する（Ｓ１３０）。これにより、制御部１５は、磁気媒体から縦型磁気ストライプ５２に記録されていた磁気情報を取得する。その結果、磁気ストライプ読取機構１は、図６に示すルーチンを終了する。
【００４２】
一方、Ｓ１２０の判定で、優先方向側の非交差エリア７２から磁気出力を検出しなかったと判定された場合（“Ｎｏ”の場合）に、制御部１５は、磁気媒体が横型通帳６１であると見なし、磁気情報の読取方向を非優先方向（ここでは、横方向）に決定する（Ｓ１３５）。
【００４３】
この場合に、制御部１５は、磁気ヘッド部１０に非優先方向（ここでは、横方向）の読取処理を行わせる（Ｓ１４０）。
【００４４】
具体的には、制御部１５は、搬送ローラ（搬送部）６を作動させて磁気媒体（ここでは、横型通帳６１）を搬送させて横方向用磁気ヘッド８上の位置で停止させる。その後、制御部１５は、磁気ヘッド移動部９によって横方向用磁気ヘッド８を横方向（非優先方向）にスライド移動させる。このとき、磁気ヘッド部１０の横方向用磁気ヘッド８が、磁気媒体の横型磁気ストライプ６２が設けられたエリアに接近し、そのエリアに設けられた磁気ストライプ（ここでは、横型磁気ストライプ６２）から磁気情報を読み取る。
【００４５】
横方向用磁気ヘッド８は、横型磁気ストライプ６２が設けられたエリアから読み取った磁気情報を非優先方向側の読取情報として制御部１５に出力する。制御部１５は、横方向用磁気ヘッド８から非優先方向側の読取情報が入力されると、記憶部１６に格納する（Ｓ１４５）。
【００４６】
この後、制御部１５は、記憶部１６から非優先方向側の読取情報を読み出し、読み出された非優先方向側の読取情報を分析する（Ｓ１５０）。これにより、制御部１５は、磁気媒体から横型磁気ストライプ６２に記録されていた磁気情報を取得する。その結果、磁気ストライプ読取機構１は、図６に示すルーチンを終了する。
【００４７】
このように、磁気ストライプ読取機構１の制御部１５は、磁気媒体として、優先方向の磁気ストライプと非優先方向の磁気ストライプとが交差する優先側の通帳と非優先側の通帳とを混在して取り扱う場合（すなわち、縦型磁気ストライプ５２と横型磁気ストライプ６２とが交差する縦型通帳５１と横型通帳６１とを混在して取り扱う場合）に、双方の磁気ストライプが交差しない非交差エリア（ここでは、優先方向側の非交差エリア７２）の磁気出力の有無を検証することにより、磁気情報の読取方向を判定する。
【００４８】
この磁気ストライプ読取機構１は、優先方向側の読取情報に基づいて、非交差エリア（ここでは、優先方向側の非交差エリア７２）の磁気出力の有無を検証することにより、磁気情報の読取方向を判定する。したがって、この磁気ストライプ読取機構１は、誤った方向に沿って磁気情報を読み取った場合であっても、リトライ処理を行うことなく、ただちに、正しい読取方向を特定することができる。
そのため、この磁気ストライプ読取機構１は、誤った方向に沿って磁気情報を読み取る場合の磁気情報の読取処理に要する時間を短縮することができる。
【００４９】
この磁気ストライプ読取機構１は、金融機関に設置される自動取引装置や金融窓口端末装置に搭載することができる。
この磁気ストライプ読取機構１を搭載する搭載装置は、誤った方向に沿って磁気情報を読み取る場合の磁気情報の読取処理に要する時間を短縮することができる。また、搭載装置は、稼働率を向上させたり、顧客を待たせないことによって顧客サービスを向上させたりすることができる。
【００５０】
＜磁気ストライプ読取機構の動作の変更例＞
磁気ストライプ読取機構１の動作は、例えば、図７に示す動作例のように変更することもできる。図７は、実施形態に係る磁気ストライプ読取機構の動作を示すフローチャートである。図７に示す動作例は、Ｓ２１５の判定処理（図６に示すＳ１２０に相当する判定処理）よりも前に、非優先方向の読取処理を行うフローとなっている。
【００５１】
図７に示すように、磁気ストライプ読取機構１の制御部１５は、図６に示すフローと同様に、Ｓ１１０及びＳ１１５の処理を行う。
【００５２】
Ｓ１１５の後、制御部１５は、磁気ヘッド部１０に非優先方向（ここでは、横方向）の読取処理を行わせる（Ｓ２０５）。そして、制御部１５は、横方向用磁気ヘッド８から非優先方向側の読取情報が入力されると、記憶部１６に格納する（Ｓ２１０）。このＳ２０５の処理及びＳ２１０の処理は、それぞれ、図６に示すＳ１４０の処理及びＳ１４５の処理と同様である。
【００５３】
すなわち、制御部１５は、搬送ローラ（搬送部）６を作動させて磁気媒体（ここでは、横型通帳６１）を搬送させて横方向用磁気ヘッド８上の位置で停止させる。その後、制御部１５は、磁気ヘッド移動部９によって横方向用磁気ヘッド８を横方向（非優先方向）にスライド移動させる。このとき、磁気ヘッド部１０の横方向用磁気ヘッド８が、磁気媒体の横型磁気ストライプ６２が設けられたエリアに接近し、そのエリアに設けられた磁気ストライプ（ここでは、横型磁気ストライプ６２）から磁気情報を読み取る（Ｓ２０５）。
【００５４】
横方向用磁気ヘッド８は、横型磁気ストライプ６２が設けられたエリアから読み取った磁気情報を非優先方向側の読取情報として制御部１５に出力する。制御部１５は、横方向用磁気ヘッド８から非優先方向側の読取情報が入力されると、記憶部１６に格納する（Ｓ２１０）。
【００５５】
Ｓ２１０の後、制御部１５は、優先方向側の読取情報に基づいて、優先方向側の非交差エリア７２（図２（ｂ）参照）の磁気出力の有無を検証する。これにより、制御部１５は、磁気情報の読取方向を判定する。
【００５６】
具体的には、制御部１５は、記憶部１６から優先方向側の読取情報を読み出し、優先方向側の読取情報の中に含まれている優先方向側の非交差エリア７２から磁気出力を検出できるか否かを判定する（Ｓ２１５）。このＳ２１５の処理は、図６に示すＳ１２０の処理に相当する。
【００５７】
Ｓ２１５の判定で、優先方向側の非交差エリア７２から磁気出力を検出したと判定された場合（“Ｙｅｓ”の場合）に、制御部１５は、磁気媒体が縦型通帳５１であると見なし、磁気情報の読取方向を優先方向（ここでは、縦方向）に決定する（Ｓ２２０）。このＳ２２０の処理は、図６に示すＳ１２５の処理に相当する。
【００５８】
一方、Ｓ２１５の判定で、優先方向側の非交差エリア７２から磁気出力を検出しなかったと判定された場合（“Ｎｏ”の場合）に、制御部１５は、磁気媒体が横型通帳６１であると見なし、磁気情報の読取方向を非優先方向（ここでは、横方向）に決定する（Ｓ２２５）。このＳ２２５の処理は、図６に示すＳ１３５の処理に相当する。
【００５９】
Ｓ２２０又はＳ２２５の後、制御部１５は、記憶部１６から、Ｓ２２０又はＳ２２５で決定された読取方向の読取情報を読み出し、読み出された読取情報を分析する（Ｓ２３０）。これにより、制御部１５は、磁気媒体の磁気ストライプに記録されていた磁気情報を取得する。その結果、磁気ストライプ読取機構１は、図７に示すルーチンを終了する。
【００６０】
図７に示す動作例は、磁気情報の読取方向が不明な磁気媒体に対して、優先方向の読取処理と非優先方向の読取処理とを１回ずつ行い、これによって取得される読取情報に基づいて、磁気媒体の磁気ストライプに記録されていた磁気情報を取得する。
そのため、図７に示す動作例は、図６に示す動作例と比較すると、磁気情報の読取方向に関係なく、磁気ヘッド部１０の動作パターンが固定されるため、図６に示す動作例よりも磁気ヘッド部１０の動作を安定させることができる。
【００６１】
また、図７に示す動作例は、磁気情報の読取方向に関係なく、優先方向側の読取情報及び非優先方向側の読取情報を記憶部１６に格納し、記憶部１６に格納された読取情報に基づいて、磁気媒体の磁気ストライプに記録されていた磁気情報を取得する。
そのため、図７に示す動作例は、磁気媒体の磁気ストライプに記録されていた磁気情報を取得するまでに要する時間を短縮することができる。
【００６２】
以上の通り、本実施形態に係る磁気ストライプ読取機構１によれば、誤った方向に沿って磁気情報を読み取る場合の磁気情報の読取処理に要する時間を短縮することができる。
また、この磁気ストライプ読取機構１を自動取引装置や金融窓口端末装置等に搭載した場合に、これらの搭載装置によれば、誤った方向に沿って磁気情報を読み取る場合の磁気情報の読取処理に要する時間を短縮することができる。
【００６３】
本発明は、前記した実施形態に限定されることなく、本発明の要旨を逸脱しない範囲で種々の変更や変形を行うことができる。
【００６４】
例えば、図７に示す動作例では、磁気ストライプ読取機構１は、優先方向側の非交差エリア７２から磁気情報を検出できたか否かを検証することによって、磁気情報の読取方向を決定している。しかしながら、磁気ストライプ読取機構１は、優先方向側の非交差エリア７２だけでなく、非優先方向側の非交差エリア７３に対しても、磁気情報を検出できたか否かを検証することによって、磁気情報の読取方向を決定するようにしてもよい。この場合に、磁気ストライプ読取機構１は、磁気情報の正しい読取方向の決定精度を向上させることができる。
【００６５】
また、例えば、実施形態では通帳を例にして説明したが、本発明は、通帳以外であっても、磁気ストライプの位置が複数タイプある磁気媒体から磁気情報を読み取る場合に適用することができる。
【符号の説明】
【００６６】
１    磁気ストライプ読取機構
２    挿入口
３    挿入検知センサ
４    搬送路
６    搬送ローラ（搬送部）
７    縦方向（優先方向）用磁気ヘッド
８    横方向（非優先方向）用磁気ヘッド
９    磁気ヘッド移動部
１０    磁気ヘッド部
１１    光学読取ヘッド
１２    印字ヘッド
１３    頁替え部
１４    媒体回収部
１５    制御部
１６    記憶部
【図１】
2011248572.tif 000003
【図２】
2011248572.tif 000004
【図３】
2011248572.tif 000005
【図４】
2011248572.tif 000006
【図５】
2011248572.tif 000007
【図６】
2011248572.tif 000008
【図７】
2011248572.tif 000009